(57)【要約】      （修正有）【課題】無線ＬＡＮにおいて、ユーザビリティの向上を図る。【解決手段】自身のＳＳＩＤを送信するとともに、車載装置を無線接続するアクセスポイント装置２であって、他のアクセスポイント装置２が送信するＳＳＩＤを検出するＳＳＩＤ検出部６０と、自身のＳＳＩＤと、他のアクセスポイント装置２のＳＳＩＤとの一致を判定する一致判定部６２と、自身のＳＳＩＤと、他のアクセスポイント装置２のＳＳＩＤとが一致する場合に、自身のＳＳＩＤを変更するＳＳＩＤ一時変更部６４と、を備える。【選択図】図３
2019161348.tif 000002
【特許請求の範囲】
【請求項１】
自身の識別情報を送信するとともに、通信機器を無線接続するアクセスポイント装置であって、
他のアクセスポイント装置が送信する識別情報を検出するＳＳＩＤ検出部と、
自身の前記識別情報と、他のアクセスポイント装置の前記識別情報との一致を判定する一致判定部と、
自身の前記識別情報と、他のアクセスポイント装置の前記識別情報とが一致する場合に、自身の識別情報を変更する識別情報変更部と、
を備えることを特徴とするアクセスポイント装置。
【請求項２】
識別情報変更部は、
自身の前記識別情報を変更した場合、前記通信機器との無線接続が解除されたときに自身の前記識別情報を変更前に戻す
ことを特徴とする請求項１に記載のアクセスポイント装置。
【請求項３】
前記無線接続した前記通信機器と、当該無線接続時の自身の前記識別情報と対応付けて記憶する履歴記憶部を備え、
前記識別情報変更部は、
前記履歴記憶部に記憶されている前記通信機器が存在するときには、自身の前記識別情報を、当該通信機器との無線接続時の識別情報に変更する
ことを特徴とする請求項１または２に記載のアクセスポイント装置。
【請求項４】
前記識別情報変更部は、
自身の前記識別情報と、他のアクセスポイント装置の前記識別情報とが一致する場合、前記履歴記憶部に記憶されている前記通信機器が存在するときには、自身の前記識別情報を、当該通信機器との無線接続時の識別情報に変更する
ことを特徴とする請求項３に記載のアクセスポイント装置。
【請求項５】
自身の識別情報を送信するとともに、通信機器を無線接続するアクセスポイント装置の制御方法であって、
他のアクセスポイント装置が送信する識別情報を検出する第１ステップと、
自身の前記識別情報と、他のアクセスポイント装置の前記識別情報との一致を判定する第２ステップと、
自身の前記識別情報と、他のアクセスポイント装置の前記識別情報とが一致する場合に、自身の識別情報を変更する第３ステップと、
を備えることを特徴とする制御方法。
【請求項６】
第３ステップにおいて自身の前記識別情報を変更した場合、前記通信機器との無線接続が解除されたときに自身の前記識別情報を変更前に戻す第４ステップを
備えることを特徴とする請求項５に記載の制御方法。
【請求項７】
前記無線接続した前記通信機器と、当該無線接続時の自身の前記識別情報と対応付けて履歴記憶部に記憶する第５ステップと、
前記履歴記憶部に記憶されている前記通信機器が存在するときには、自身の前記識別情報を、当該通信機器との無線接続時の識別情報に変更する第６ステップと、
を備えることを特徴とする請求項５または６に記載の制御方法。
【請求項８】
前記第６ステップでは、
自身の前記識別情報と、他のアクセスポイント装置の前記識別情報とが一致する場合、前記履歴記憶部に記憶されている前記通信機器が存在するときには、自身の前記識別情報を、当該通信機器との無線接続時の識別情報に変更する
ことを特徴とする請求項７に記載の制御方法。
【請求項９】
自身の識別情報を送信するとともに、通信機器を無線接続するアクセスポイント装置を、
他のアクセスポイント装置が送信する識別情報を受信する検出部、
自身の前記識別情報と、他のアクセスポイント装置の前記識別情報との一致を判定する一致判定部、
自身の前記識別情報と、他のアクセスポイント装置の前記識別情報とが一致する場合に、自身の識別情報を変更する識別情報変更部、
として機能させることを特徴とするプログラム。
【請求項１０】
識別情報変更部は、
自身の前記識別情報を変更した場合、前記通信機器との無線接続が解除されたときに自身の前記識別情報を変更前に戻す
ことを特徴とする請求項９に記載のプログラム。
【請求項１１】
前記アクセスポイント装置を、
前記無線接続した前記通信機器と、当該無線接続時の自身の前記識別情報と対応付けて記憶する履歴記憶部として機能させ、
前記識別情報変更部は、
前記履歴記憶部に記憶されている前記通信機器が存在するときには、自身の前記識別情報を、当該通信機器との無線接続時の識別情報に変更する
ことを特徴とする請求項９または１０に記載のプログラム。
【請求項１２】
前記識別情報変更部は、
自身の前記識別情報と、他のアクセスポイント装置の前記識別情報とが一致する場合、前記履歴記憶部に記憶されている前記通信機器が存在するときには、自身の前記識別情報を、当該通信機器との無線接続時の識別情報に変更する
ことを特徴とする請求項１１に記載のプログラム。
【発明の詳細な説明】
【技術分野】
【０００１】
本発明は、アクセスポイント装置、制御方法、及びプログラムに関する。
【背景技術】
【０００２】
無線ＬＡＮ（Local Area Network）を用いた通信システムが知られている。無線ＬＡＮは、アクセスポイント装置（「親機」とも呼ばれる）と、このアクセスポイント装置と無線接続する無線ＬＡＮアダプター（「子機」とも呼ばれる）を有する複数の機器（以下、「通信機器」と言う）と、を備える。アクセスポイント装置は、通信機器の通信を中継する中継装置であり、一般に、無線接続されている複数の通信機器の間の通信を中継する機能や、アクセスポイント装置が接続されている電気通信回線と通信機器との間の通信を中継する機能を備える。
【０００３】
近年では、ユーザーが携帯可能なモバイル型のアクセスポイント装置も普及しており、屋外などでも場所を選ばずに無線ＬＡＮを簡単に構築できるようになっている（例えば、特許文献１、及び特許文献２参照）。
【０００４】
ところで、アクセスポイント装置には、ＳＳＩＤ（Service Set IDentifier）と称される識別情報が予め設定されている。アクセスポイント装置が自身のＳＳＩＤをブロードキャストし、通信機器が、このＳＳＩＤを受信して表示することで、ユーザーがアクセスポイント装置を識別可能になっている。このＳＳＩＤは工場出荷時等に予め設定されており、その後に所有者等が適宜に変更可能となっている。
【先行技術文献】
【特許文献】
【０００５】
【特許文献１】特開２０１６−０９２５０５号公報
【特許文献２】特開２０１７−０５０７１４号公報
【発明の概要】
【発明が解決しようとする課題】
【０００６】
複数のアクセスポイント装置が存在する環境下では、通信機器には、これらのアクセスポイント装置のＳＳＩＤが表示される。このとき、幾つかのアクセスポイント装置の間でＳＳＩＤが重複している場合、通信機器は、いずれか１つのＳＳＩＤしか表示しないことがある。この場合、ユーザーは、表示されていないアクセスポイント装置を選択することができず、ユーザビリティが損なわれてしまう。
【０００７】
本発明は、ユーザビリティの向上が図られるアクセスポイント装置、制御方法、及びプログラムを提供することを目的とする。
【課題を解決するための手段】
【０００８】
本発明は、自身の識別情報を送信するとともに、通信機器を無線接続するアクセスポイント装置であって、他のアクセスポイント装置が送信する識別情報を検出するＳＳＩＤ検出部と、自身の前記識別情報と、他のアクセスポイント装置の前記識別情報との一致を判定する一致判定部と、自身の前記識別情報と、他のアクセスポイント装置の前記識別情報とが一致する場合に、自身の識別情報を変更する識別情報変更部と、を備えることを特徴とする。
【０００９】
本発明は、上記アクセスポイント装置において、識別情報変更部は、自身の前記識別情報を変更した場合、前記通信機器との無線接続が解除されたときに自身の前記識別情報を変更前に戻すことを特徴とする。
【００１０】
本発明は、上記アクセスポイント装置において、前記無線接続した前記通信機器と、当該無線接続時の自身の前記識別情報と対応付けて記憶する履歴記憶部を備え、前記識別情報変更部は、前記履歴記憶部に記憶されている前記通信機器が存在するときには、自身の前記識別情報を、当該通信機器との無線接続時の識別情報に変更することを特徴とする。
【００１１】
本発明は、上記アクセスポイント装置において、前記識別情報変更部は、自身の前記識別情報と、他のアクセスポイント装置の前記識別情報とが一致する場合、前記履歴記憶部に記憶されている前記通信機器が存在するときには、自身の前記識別情報を、当該通信機器との無線接続時の識別情報に変更することを特徴とする。
【００１２】
本発明は、自身の識別情報を送信するとともに、通信機器を無線接続するアクセスポイント装置の制御方法であって、他のアクセスポイント装置が送信する識別情報を検出する第１ステップと、自身の前記識別情報と、他のアクセスポイント装置の前記識別情報との一致を判定する第２ステップと、自身の前記識別情報と、他のアクセスポイント装置の前記識別情報とが一致する場合に、自身の識別情報を変更する第３ステップと、を備えることを特徴とする。
【００１３】
本発明は、上記制御方法において、第３ステップにおいて自身の前記識別情報を変更した場合、前記通信機器との無線接続が解除されたときに自身の前記識別情報を変更前に戻す第４ステップを備えることを特徴とする。
【００１４】
本発明は、上記制御方法において、前記無線接続した前記通信機器と、当該無線接続時の自身の前記識別情報と対応付けて履歴記憶部に記憶する第５ステップと、前記履歴記憶部に記憶されている前記通信機器が存在するときには、自身の前記識別情報を、当該通信機器との無線接続時の識別情報に変更する第６ステップと、を備えることを特徴とする。
【００１５】
本発明は、上記制御方法において、前記第６ステップでは、自身の前記識別情報と、他のアクセスポイント装置の前記識別情報とが一致する場合、前記履歴記憶部に記憶されている前記通信機器が存在するときには、自身の前記識別情報を、当該通信機器との無線接続時の識別情報に変更することを特徴とする。
【００１６】
本発明は、自身の識別情報を送信するとともに、通信機器を無線接続するアクセスポイント装置を、他のアクセスポイント装置が送信する識別情報を受信する検出部、自身の前記識別情報と、他のアクセスポイント装置の前記識別情報との一致を判定する一致判定部、自身の前記識別情報と、他のアクセスポイント装置の前記識別情報とが一致する場合に、自身の識別情報を変更する識別情報変更部、として機能させることを特徴とするプログラムを提供する。
【００１７】
本発明は、上記プログラムにおいて、識別情報変更部は、自身の前記識別情報を変更した場合、前記通信機器との無線接続が解除されたときに自身の前記識別情報を変更前に戻すことを特徴とする。
【００１８】
本発明は、上記プログラムにおいて、前記アクセスポイント装置を前記無線接続した前記通信機器と、当該無線接続時の自身の前記識別情報と対応付けて記憶する履歴記憶部として機能させ、前記識別情報変更部は、前記履歴記憶部に記憶されている前記通信機器が存在するときには、自身の前記識別情報を、当該通信機器との無線接続時の識別情報に変更することを特徴とする。
【００１９】
本発明は、上記プログラムにおいて、前記識別情報変更部は、自身の前記識別情報と、他のアクセスポイント装置の前記識別情報とが一致する場合、前記履歴記憶部に記憶されている前記通信機器が存在するときには、自身の前記識別情報を、当該通信機器との無線接続時の識別情報に変更することを特徴とする。
【発明の効果】
【００２０】
本発明によれば、ユーザビリティの向上が図られる。
【図面の簡単な説明】
【００２１】
【図１】本発明の実施形態に係る無線通信システムの構成を示す図である。
【図２】アクセスポイント装置のハードウェア構成を示す図である。
【図３】アクセスポイント装置の機能的構成を示す図である。
【図４】無線通信システムの動作を示すシーケンス図である。
【図５】車載装置における操作手順の説明図である。
【図６】ＳＳＩＤ変更処理のフローチャートである。
【発明を実施するための形態】
【００２２】
以下、図面を参照して本発明の実施形態について説明する。
図１は、本発明の実施形態に係る無線通信システム１の構成を示す図である。
無線通信システム１は、複数のアクセスポイント装置２と、車載装置４と、を備え、これらが無線ＬＡＮによるネットワークを形成するシステムである。なお、以下の説明において、複数のアクセスポイント装置２の各々を区別する場合には、各々に異なる符号２Ａ、２Ｂを付して区別する。ユーザーＵについても同様である。
【００２３】
モバイルネットワークＮは、所定の通信事業者によって管理、運用される公衆回線Ｎ１と、多数の基地局Ｎ２と、を有する通信ネットワークであり、インターネットなどの他の通信ネットワークにも接続されている。
【００２４】
アクセスポイント装置２は、無線ＬＡＮにおける親機として機能し、車載装置４が無線接続され、当該車載装置４の通信を中継する中継装置である。本実施形態では、アクセスポイント装置２は、車載装置４とモバイルネットワークＮとの間の通信を中継する。なお、アクセスポイント装置２は、車載装置４などの複数の通信機器が無線接続されている場合には、これらの通信機器の間の通信を中継することもできる。
本実施形態では、アクセスポイント装置２は、ユーザーが携帯可能なモバイル型の装置であり、ここでは、ユーザーＵが所持するスマートフォンである。なお、アクセスポイント装置２は、スマートフォンの他にも、フィーチャーフォン、モバイルルータ、タブレット型コンピュータ、ノート型パソコン等の他のモバイル型の機器であってもよい。また、アクセスポイント装置２は、モバイル型の装置ではなく、据置型の装置でもよい。
【００２５】
車載装置４は、車両６に搭載された装置であり、無線ＬＡＮにおける子機として機能する通信機器である。本実施形態では、車載装置４は、アクセスポイント装置２と無線接続し、当該アクセスポイント装置２を介してモバイルネットワークＮに接続された外部機器５と通信し、この通信により、各種の通信サービスの提供を外部機器５から受ける。通信サービスの内容は、特に限定されるものではなく、例えばカーナビゲーションの動作に係るサービスやインターネット接続サービス等の任意のサービスが挙げられる。
【００２６】
かかる車載装置４は、図１に示すように、無線ＬＡＮアダプター装置８と、各部を制御する制御部１０と、操作装置１２と、表示装置１４と備える。
制御部１０は、ＣＰＵやＭＰＵなどのプロセッサと、ＲＯＭやＲＡＭなどのメモリデバイスと、ＨＤＤやＳＳＤ、半導体固体メモリ等のストレージデバイスと、を有したコンピュータによって実現されている。そしてメモリデバイスに格納されたコンピュータープログラムをプロセッサが実行することで各種の制御を実行する。
操作装置１２は、ユーザーＵの操作を受け付けて制御部１０に入力する装置であり、例えば操作子やタッチパネルである。
表示装置１４は、制御部１０の制御の下、各種の画面を表示する装置であり、例えばフラットパネル型のディスプレイ（液晶ディスプレイや有機ＥＬディスプレイ）である。
無線ＬＡＮアダプター装置８は、制御部１０の制御の下、アクセスポイント装置２に無線接続するハードウェアモジュールである。
【００２７】
なお、車載装置４は、あくまでも通信機器の一例であり、通信機器は、スマートフォンや、フィーチャーフォン、モバイルルータ、タブレット型コンピュータ、ノート型パソコンなどのモバイル型の機器、又は、自走式掃除機などの自走式型機器でもよい。また、通信機器は、モバイル型や自走式の機器ではなく、デスクトップパソコン等のコンピュータ、或いは、テレビや冷蔵庫、洗濯機などの据置型の機器でもよい。
【００２８】
図２は、アクセスポイント装置２のハードウェア構成を示す図である。
アクセスポイント装置２は、上述の通り、無線ＬＡＮ通信機能を有したスマートフォンであり、図２に示すように、ＣＰＵやＭＰＵ等のプロセッサ２０と、メモリデバイス２２と、入力装置２４と、表示装置２６と、音声入出力装置２８と、モバイルネットワーク通信回路３０と、無線ＬＡＮ通信回路３２と、を備える。
【００２９】
プロセッサ２０は、アクセスポイント装置２の全体を中枢的に制御する。
メモリデバイス２２は、不揮発性の記憶デバイスであるフラッシュメモリ３４と、揮発性の記憶デバイスであるＲＡＭ３６とを備える。フラッシュメモリ３４には、各種のプログラムが格納されている。プロセッサ２０は、プログラムの全部または一部をＲＡＭ３６に展開して実行することで、各種の機能を実現する。
【００３０】
入力装置２４は、ユーザーＵの操作を受け付け、プロセッサ２０に入力する装置である。本実施形態では、入力装置２４は、各種のハードキー、及び、タッチ操作を受け付けるタッチパネルディスプレイを備える。
表示装置２６は、プロセッサ２０の制御の下、各種の画像を表示する装置であり、液晶パネルや有機ＥＬパネル等のディスプレイと、このディスプレイへの画像表示を制御する表示ドライバ回路と、を備える。
【００３１】
音声入出力装置２８は、音声を集音するマイク３８と、音声を放音するスピーカ４０と、を備える。マイク３８で集音された音声信号はＡ／Ｄ変換器でデジタル音声信号に変換されプロセッサ２０に入力される。一方、スピーカ４０には、プロセッサ２０の制御の下、各種のアナログ又はデジタルの音声信号が供給され、この音声信号に基づく音声がスピーカ４０から放音される。
スマートフォンであるアクセスポイント装置２においては、通話中の通話音声がマイク３８、及びスピーカ４０を通じて集音、及び放音される。
【００３２】
モバイルネットワーク通信回路３０は、モバイル通信回路と、アンテナとを有し、プロセッサ２０の制御の下、モバイルネットワークＮに接続し、音声通話通信、及びデータ通信を行う。
【００３３】
無線ＬＡＮ通信回路３２は、車載装置４などの他の通信機器と無線接続する装置であり、無線ＬＡＮの電波を送受信するアンテナと、所定の無線通信方式にしたがって受信信号、及び送信信号を処理する無線ＬＡＮ通信回路と、を有する。所定の無線通信方式は、本実施形態では、ＩＥＥＥ８０２．１１（Ｗｉ−Ｆｉ：登録商標）の規格に準拠した無線通信方式である。アクセスポイント装置２には、識別情報であるＳＳＩＤが予め設定されており、フラッシュメモリ３４に格納されている。そして、無線ＬＡＮ通信回路３２がプロセッサ２０の制御の下、このＳＳＩＤを規定の送信間隔でブロードキャストし、周囲の通信機器に通知する。このブロードキャストには、ＳＳＩＤの他にも、アクセスポイント装置２への無線接続に必要な認証情報等も含まれている。
【００３４】
なお、アクセスポイント装置２は、上述したハードウェアの他にも、例えばＳＤカード等の半導体メモリや、Ｂｌｕｅｔｏｏｔｈ（登録商標）等の近距離無線通信装置といった任意の装置を備えてもよい。
【００３５】
フラッシュメモリ３４には、コンピュータープログラムの１つであるテザリングプログラム３７が格納されている。プロセッサ２０がテザリングプログラム３７を実行することで、スマートフォンが無線ＬＡＮにおけるアクセスポイント装置２の機能を実現する。
【００３６】
図３は、アクセスポイント装置２の機能的構成を示す図である。
アクセスポイント装置２は、無線ＡＰ部５０と、ＳＳＩＤ記憶部５２と、ＳＳＩＤ変更制御部５４と、を備える。これらの機能部は、スマートフォンのプロセッサ２０が上述したテザリングプログラム３７を実行することで実現される。
なお、アクセスポイント装置２がスマートフォンではなく、モバイル型又は据置型の専用の装置（例えばルータ）である場合、プロセッサ２０が装置のファームウェアプログラムを実行することで、図３に示す各機能を実現する。
【００３７】
無線ＡＰ部５０は、プロセッサ２０が無線ＬＡＮ通信回路３２を制御して、無線ＬＡＮのアクセスポイント装置２としての機能を実現する。具体的には、無線ＡＰ部５０は、車載装置４などの他の通信機器と所定の無線通信方式で無線接続し、当該通信機器の通信を中継する。本実施形態では、無線通信方式は、上述の通りＩＥＥＥ８０２．１１（Ｗｉ−Ｆｉ：登録商標）の規格に準拠した方式であり、無線ＡＰ部５０は、モバイルネットワークＮと車載装置４との間の通信を中継する。なお、車載装置４などの複数の通信機器が無線ＡＰ部５０に接続されているときには、これらの通信機器の間の通信を無線ＡＰ部５０が中継してもよい。
【００３８】
ＳＳＩＤ記憶部５２は、上記メモリデバイス２２を備え、予め設定されたＳＳＩＤを記憶する。ＳＳＩＤは、アクセスポイント装置２の工場出荷時に設定される。また、その後、所有者等がＳＳＩＤを再設定操作した場合、再設定後のＳＳＩＤがＳＳＩＤ記憶部５２に更新記録される。
【００３９】
上述の無線ＡＰ部５０は、ＳＳＩＤ記憶部５２のＳＳＩＤを規定の送信間隔（例えば１００ｍｓ）でブロードキャスト送信することで、車載装置４などの周囲の通信機器に対して、自身のＳＳＩＤを通知する。
【００４０】
ＳＳＩＤ変更制御部５４は、上記プロセッサ２０、無線ＬＡＮ通信回路３２、及びメモリデバイス２２を備え、他のアクセスポイント装置２がブロードキャスト送信しているＳＳＩＤが、自身のＳＳＩＤと一致する場合に、自身のＳＳＩＤを変更し、また、ＳＳＩＤの変更に伴う各種処理を実行する。
【００４１】
具体的には、ＳＳＩＤ変更制御部５４は、ＳＳＩＤ検出部６０と、一致判定部６２と、ＳＳＩＤ一時変更部６４と、変更通知部６６と、履歴記憶部６８と、を備える。
ＳＳＩＤ検出部６０は、他のアクセスポイント装置２のブロードキャスト送信を無線ＬＡＮ通信回路３２によって受信し、受信信号に基づいて、他のアクセスポイント装置２のＳＳＩＤを検出する。
一致判定部６２は、ＳＳＩＤ検出部６０によって検出されたＳＳＩＤと、自身がブロードキャスト送信しているＳＳＩＤとが完全に一致しているか否か（すなわち、完全に重複しているか否か）を判定する。
【００４２】
ＳＳＩＤ一時変更部６４は、ＳＳＩＤ検出部６０によって検出されたＳＳＩＤと、自身がブロードキャストしているＳＳＩＤとが一致している場合に、自身のＳＳＩＤを所定の命名規則に従って一時的に変更し、ＳＳＩＤ記憶部６２に記憶されているＳＳＩＤに代えて、変更後のＳＳＩＤを無線ＡＰ部５０にブロードキャストさせる。なお、ＳＳＩＤの一時変更の際の命名規則については後述する。
【００４３】
またＳＳＩＤ一時変更部６４は、ＳＳＩＤ検出部６０によって検出されたＳＳＩＤと、自身がブロードキャストしているＳＳＩＤとが一致していない場合、ＳＳＩＤを一時的に変更しているときには、自身がブロードキャストするＳＳＩＤをＳＳＩＤ記憶部５２に記憶されているＳＳＩＤに戻す。この場合において、ＳＳＩＤを一時的に変更していないときであっても、ＳＳＩＤが一時変更されている期間に無線接続した実績がある車載装置４等の通信機器が存在するときには、ＳＳＩＤ一時変更部６４は、自身のＳＳＩＤを再度一時的に変更する。これにより、通信機器においては、アクセスポイント装置２との再接続が容易になる。
【００４４】
変更通知部６６は、自身のＳＳＩＤがＳＳＩＤ一時変更部６４によって変更された場合に、変更後のＳＳＩＤを表示装置２６に表示させることで、ユーザーＵに通知する。ユーザーＵは、この通知により、自身のアクセスポイント装置２のＳＳＩＤが自動的に変更されたこと、及び、変更後のＳＳＩＤを正確に把握できる。
【００４５】
履歴記憶部６８は、上記メモリデバイス２２を備え、履歴データ７０を記憶する。履歴データ７０は、ＳＳＩＤを一時的に変更している間に無線接続した車載装置４等の通信機器を記録したデータである。具体的には、履歴データ７０には、通信機器を一意に特定する通信機器識別情報７２と、そのときの自身のＳＳＩＤとが対応付けて記録される。この通信機器識別情報７２には、通信機器のＭＡＣ（Media Access Control）アドレスが用いられている。
【００４６】
図４は、無線通信システム１の動作を示すシーケンス図である。
同図に示すように、無線通信システム１にあっては、複数のアクセスポイント装置２Ａ、２Ｂのそれぞれが、自身のＳＳＩＤのブロードキャスト送信と（ステップＳａ１）、他のアクセスポイント装置２のＳＳＩＤに応じて自身のＳＳＩＤを変更するＳＳＩＤ変更処理（ステップＳａ２）とを繰り返し実行する。
【００４７】
一方、車載装置４では、制御部１０が無線ＬＡＮアダプター装置８を制御し、周囲のブロードキャスト信号をスキャンすることで、周囲に存在するアクセスポイント装置２Ａ、２Ｂを探査する（ステップＳａ３）。この探査は、一定時間間隔で継続的に行われる。そして制御部１０は、この探査によって発見されたＳＳＩＤを集めたリストを保持する。このリストは、ステップＳａ３による探査の都度、更新される。
【００４８】
その後、ユーザーＵが、いずれかのアクセスポイント装置２Ａ、２Ｂに接続する場合、車載装置４を操作し無線接続を行う（ステップＳａ４）。
【００４９】
図５は、車載装置４における操作手順の説明図である。
車載装置４における無線接続操作（図４：ステップＳａ４）は、表示装置５に表示されたＷｉ−Ｆｉ画面６０を操作して行われる。具体的には、Ｗｉ−Ｆｉ画面８０には、接続先のアクセスポイント装置２を登録するための機器登録ボタン６１が設けられており、ユーザーＵは、先ず、この機器登録ボタン６１を操作する（図５（Ａ））。
【００５０】
機器登録ボタン６１が操作されると、制御部１０は、図４のステップＳａ３の探査によって集めたＳＳＩＤのリストに基づいて、表示装置１４にＳＳＩＤを一覧表示する（図４：ステップＳａ５）。
【００５１】
ここで、仮に、アクセスポイント装置２Ａ、２Ｂの両者のＳＳＩＤが一致していた場合（図５の例では、ＳＳＩＤ＝「ＡＡＡ」）、車載装置４は、図５（Ｂ）に示すように、受信電波強度が大きい方のみを表示装置１４に表示する。この場合、ユーザーＵは、アクセスポイント装置２Ａ、２ＢのどちらのＳＳＩＤが表示されているのかを知ることができない。また、アクセスポイント装置２Ａ、２Ｂの一方は表示されていないので、ユーザーＵ１、Ｕ２のいずれかは、自身が所有するアクセスポイント装置２を選択して、車載装置４を無線接続させることができなくなる。
【００５２】
これに対して、本実施形態では、アクセスポイント装置２Ａ、２Ｂはそれぞれ、ＳＳＩＤ変更処理（図４：ステップＳａ２）において、他のアクセスポイント装置２のＳＳＩＤに応じて自身のＳＳＩＤを変更するので、ＳＳＩＤの重複が防止される。したがって、仮に、アクセスポイント装置２Ａ、２Ｂの両者のＳＳＩＤが完全一致していた場合であっても、少なくともいずれか一方のＳＳＩＤが変更され、車載装置４では、図５（Ｃ）に示すように、両者のＳＳＩＤが表示装置１４に表示される。これより、ユーザーＵ１、Ｕ２のいずれも、全てのアクセスポイント装置２Ａ、２Ｂの中から所望のものを選択し、車載装置４を無線接続させることができる。
【００５３】
車載装置４は、接続先のアクセスポイント装置２がユーザーＵによって選択されると、無線ＬＡＮの通信規格に規定されたプロトコルにしたがって、当該アクセスポイント装置２への無線接続を開始する（図４：ステップＳａ６）。車載装置４は、図５（Ｄ）に示すように、無線接続の処理中であることを通知する画面を表示装置１４に表示し、その後、無線接続完了時（図４：ステップＳａ７）には、図５（Ｅ）に示すように、その旨を示す画面を表示装置１４に表示する。なお、図４のステップＳａ７では、アクセスポイント装置２Ａに車載装置４が無線接続した場合を示している。
【００５４】
アクセスポイント装置２Ａは、新たな車載装置４との無線接続があった場合（ステップＳａ８：ＹＥＳ）、自身のＳＳＩＤを一時変更中であるか否かを判定する（ステップＳａ９）。ＳＳＩＤを一時変更中である場合（ステップＳａ９：ＹＥＳ）、ＳＳＩＤ変更制御部５４は、履歴データ７０に、一時変更中のＳＳＩＤの使用履歴を記録する（ステップＳａ１０）。このステップＳａ１０では、上述の通り、無線接続相手の車載装置４（通信機器）のＭＡＣアドレスと、そのときの自身のＳＳＩＤとが対応付けて履歴データ７０に記録される。このＭＡＣアドレスは、上記ステップＳａ６において車載装置４から取得される。
【００５５】
次いで、アクセスポイント装置２Ａ、２Ｂの各々が行う上述したＳＳＩＤ変更処理について詳述する。
図６は、ＳＳＩＤ変更処理のフローチャートである。
アクセスポイント装置２Ａ、２Ｂの各々において、無線ＡＰ部５０は、他のアクセスポイント装置２が送信しているブロードキャスト信号の受信動作を所定の時間間隔で継続的に行う（ステップＳｂ１）。この受信動作により、ＳＳＩＤ検出部６０が他のアクセスポイント装置２のＳＳＩＤを受信した場合（ステップＳｂ２：ＹＥＳ）、自身と他のＳＳＩＤが完全に一致しているか否かを一致判定部６２が判定する（ステップＳｂ３）。
【００５６】
この判定の結果、両者が一致していた場合（ステップＳｂ３：ＹＥＳ）、ＳＳＩＤ一時変更部６４が自身のＳＳＩＤを変更し（ステップＳｂ４）、変更通知部６６が変更後のＳＳＩＤを表示装置２６に表示してユーザーＵに通知する（ステップＳｂ５）。
これにより、アクセスポイント装置２Ａ、２Ｂの間でのＳＳＩＤの重複が解消され、また図５（Ｃ）を参照して説明したように、車載装置４には、周辺の各々のアクセスポイント装置２のＳＳＩＤが一覧表示される。この場合において、アクセスポイント装置２Ａ、２Ｂが自身のＳＳＩＤを変更したときには、変更後のＳＳＩＤがユーザーに通知されているので、車載装置４においてユーザーＵがアクセスポイント装置２Ａ、２Ｂを選択する際に迷うことがない。
【００５７】
ここで、ＳＳＩＤ一時変更部６４は、自身のＳＳＩＤを変更する際、次の（１）、及び（２）の場合に応じて、自身のＳＳＩＤを変更している。
【００５８】
（１）履歴データ７０に記録された通信機器が周囲に存在する場合
変更後のＳＳＩＤ＝通信機器との無線接続に使用した変更後のＳＳＩＤ
（２）履歴データ７０に記録された通信機器が周囲に存在しない場合
変更後のＳＳＩＤ＝所定命名規則に従って生成したＳＳＩＤ
【００５９】
上記（１）の場合、アクセスポイント装置２のＳＳＩＤが、過去に通信機器との間で使用されたＳＳＩＤに変更される。これにより、車載装置４等の通信機器において、過去に使用したＳＳＩＤに自動的に接続する設定（「自動接続設定」）が有効になっている場合に、通信機器からアクセスポイント装置２に自動接続できる。
また、当該通信機器のユーザーＵにあっても、変更後のＳＳＩＤから、以前に無線接続したアクセスポイント装置２を容易に特定できる。
【００６０】
なお、無線通信システム１では、車載装置４等の通信機器は、自身のＭＡＣアドレスをブロードキャスト送信しており、アクセスポイント装置２Ａ、２Ｂは、車載装置４のブロードキャスト信号を受信することで、当該車載装置４のＭＡＣアドレスを特定している。
【００６１】
上記（２）の場合においては、変更後のＳＳＩＤが、所定の命名規則にしたがって新規に生成される。本実施形態では、変更後のＳＳＩＤは、［変更前ＳＳＩＤ］に、［装置関連文字列］と、［重複回避文字列］と、［履歴文字列］とを付加するという命名規則にしたがって生成される。
【００６２】
［端末関連文字列］は、自身のアクセスポイント装置２に関連した文字列であり、変更後のＳＳＩＤの文字列から自身の装置をユーザーＵに連想させるために付加される。［装置関連文字列］に使われる文字列としては、例えばアクセスポイント装置２の商品名やモデル名、色、製造者などを示すものが挙げられる。
［装置関連文字列］が付加されることで、変更後のＳＳＩＤをヒントにユーザーＵがアクセスポイント装置２を見分け易くなる。
【００６３】
［重複回避文字列］は、複数のアクセスポイント装置２Ａ、２Ｂの各々が変更したＳＳＩＤ同士の重複を回避するために付加される文字列である。かかる文字列は、アクセスポイント装置２Ａ、２Ｂの各々を一意に識別する情報（例えばＭＡＣアドレス）や、［変更後のＳＳＩＤ］のうち［重複回避文字列］を除く他の文字列情報など、各種の情報に基づいて生成可能である。かかる文字列を生成するアルゴリズムには、重複を回避できるユニークな文字列を生成可能な任意のものを用いることができる。
この［重複回避文字列］が付加されることで、複数のアクセスポイント装置２が同一モデル、同一色である場合のように、これらのアクセスポイント装置２の間で［装置関連文字列］が重複した場合でも、変更後のＳＳＩＤの重複を回避できる。なお、［重複回避文字列］は実用性が確保される程度に重複が解消できる文字列であればよく、完全にユニークな文字列である必要はない。
【００６４】
［履歴文字列］は、アクセスポイント装置２Ａ、２Ｂの各々において、ＳＳＩＤの変更履歴の中で、ＳＳＩＤの重複を回避するために付加される文字列であり、典型的には、変更後のＳＳＩＤが使用されるごとに可算、又は減算される連続番号である。
【００６５】
かかる命名規則で自身のＳＳＩＤが変更されることで、変更後のＳＳＩＤとアクセスポイント装置２との対応関係をユーザーＵが把握し易くなり、なおかつ、アクセスポイント装置２の間での変更後のＳＳＩＤの重複も回避できる。
【００６６】
なお、変更後のＳＳＩＤの文字列に、適宜に区切り文字（例えば、バーやアンダーバーなど）を挿入してもよい。
またＳＳＩＤの重複が解消される場合には、［重複回避文字列］は必ずしも付加される必要はない。これにより、変更後のＳＳＩＤの文字列長を短縮できる。
【００６７】
また命名規則は、上述の規則に限定されるものではない。例えば、ＳＳＩＤの変更に備えてユーザーＵが予め設定した文字列を付加し、或いは、当該文字列自体を変更後のＳＳＩＤとしてもよい。
【００６８】
ＳＳＩＤ変更処理の説明に戻り、図６のステップＳｂ２において、他のＳＳＩＤが受信されなかった場合（ステップＳｂ２：ＮＯ）、或いは、ステップＳｂ３において、自身と他のＳＳＩＤが一致していない場合（ステップＳｂ３：ＮＯ）、アクセスポイント装置２Ａ、２Ｂの間でＳＳＩＤが重複することはない。したがって、ＳＳＩＤ一時変更部６４は、自身のＳＳＩＤを一時変更中である場合（ステップＳｂ６：ＹＥＳ）、車載装置４との間の無線接続が解除されたときに（ステップＳｂ７：ＹＥＳ）、自身のＳＳＩＤを変更前のＳＳＩＤに戻す（ステップＳｂ８）。
この結果、アクセスポイント装置２Ａ、２Ｂにおいて、ユーザーＵが操作せずとも、ＳＳＩＤの一時変更が自動的に解除される。これにより、ユーザーＵがアクセスポイント装置２を通信機器との無線接続のために常用している場所（例えば自宅やオフィスなど）において、その場所に設置されている通信機器との無線ＬＡＮによる無線接続に不具合が生じる、といった事態を防止できる。
【００６９】
なお、アクセスポイント装置２は、複数の通信機器が無線接続中であった場合、ステップＳｂ７、Ｓｂ８においては、全ての無線接続が解除されたときに、ＳＳＩＤを変更前に戻すことになる。
【００７０】
上述した実施形態によれば、例えば次の効果を奏する。
【００７１】
本実施形態では、アクセスポイント装置２は、自身がブロードキャスト送信するＳＳＩＤと、他のアクセスポイント装置２がブロードキャスト送信しているＳＳＩＤとが一致している場合に、自身のＳＳＩＤを変更する。
これにより、自身と、他のアクセスポイント装置２との間でのＳＳＩＤの重複が解消される。したがって、アクセスポイント装置２に無線接続する車載装置４（通信機器）にあっては、これら全てのアクセスポイント装置２についてＳＳＩＤが重複なく表示される。これにより、ユーザーＵは、全てのアクセスポイント装置２の中から所望のものを選択可能となり、ユーザビリティの向上が図られる。
【００７２】
本実施形態では、アクセスポイント装置２は、自身のＳＳＩＤを変更した場合、車載装置４（通信機器）との無線接続が解除されたときに自身のＳＳＩＤを変更前に戻している。
これにより、ユーザーＵが操作せずとも、ＳＳＩＤが変更前に自動的に戻すことができる。またユーザーＵがアクセスポイント装置２を通信機器との無線接続のために常用している場所（例えば自宅やオフィスなど）において、その場所に設置されている通信機器との無線ＬＡＮによる無線接続に不具合が生じる、といった事態を防止できる。
【００７３】
本実施形態では、アクセスポイント装置２は、自身のＳＳＩＤと、他のアクセスポイント装置２のＳＳＩＤとが一致する場合、履歴記憶部６８に記憶されている通信機器が存在するときには、自身のＳＳＩＤを、当該通信機器との無線接続時のＳＳＩＤに変更する。
これにより、通信機器の側にあっては、アクセスポイント装置２にスムーズに無線接続できる。
【００７４】
なお、上述した実施形態は、あくまでも本発明の一態様の例示であり、本発明の主旨を逸脱しない範囲において任意に変形、及び応用が可能である。
【００７５】
例えば、上述した実施形態では、アクセスポイント装置２は、自身のＳＳＩＤが他のアクセスポイント装置２のＳＳＩＤと一致している場合に、ＳＳＩＤを変更したが、これに限らない。すなわち、自身と他のアクセスポイント装置２のＳＳＩＤとが一致しない場合でも、履歴記憶部６８に記憶されている通信機器が存在するときには、ＳＳＩＤ一時変更部６４が、自身のＳＳＩＤを、当該通信機器との無線接続時のＳＳＩＤに変更してもよい。
【００７６】
上述した実施形態において、複数のアクセスポイント装置２の間でＳＳＩＤが一致している場合に、アクセスポイント装置２が自身のＳＳＩＤを変更した。しかしながら、アクセスポイント装置２の各々のＳＳＩＤを受信している通信機器が、これらのＳＳＩＤを画面（Ｗｉ−Ｆｉ画面８０）に表示する際に、ＳＳＩＤの表示を重複がないよう変更してもよい。
【００７７】
上述した実施形態において、アクセスポイント装置２と車載装置４（通信機器）との間の無線通信方式としてＷｉ−Ｆｉ（登録商標）を例示したが、本発明は、これに限定されるものではない。
【符号の説明】
【００７８】
１  無線通信システム
２、2Ａ、2Ｂ  アクセスポイント装置
４  車載装置
１０  制御部
５０  無線ＡＰ部
５２  ＳＳＩＤ記憶部
５４  ＳＳＩＤ変更制御部
６０  ＳＳＩＤ検出部（検出部）
６２  一致判定部
６４  ＳＳＩＤ一時変更部（識別情報変更部）
６６  変更通知部
６８  履歴記憶部
７０  履歴データ
Ｎ  モバイルネットワーク
Ｕ、Ｕ１、Ｕ２  ユーザー
【図１】
2019161348.tif 000003
【図２】
2019161348.tif 000004
【図３】
2019161348.tif 000005
【図４】
2019161348.tif 000006
【図５】
2019161348.tif 000007
【図６】
2019161348.tif 000008